(57)【特許請求の範囲】
【請求項１】
記録媒体に記録情報を記録する記録装置であって、
前記記録媒体の第１の記録領域に、前記記録情報を複数の記録単位に分割して記録すると共に、前記第１の記録領域とは異なる前記記録媒体の第２の記録領域に、前記記録情報に関する制御情報として、前記複数の記録単位を１つの再生単位として再生制御するための情報と前記記録情報の符号化モードを示す情報と前記記録情報のビットレート情報を記録する記録手段と、
新たな記録情報を更新記録又は追加記録するに際し、前記記録媒体に既に記録されている記録情報のビットレート情報を再生する再生手段と、
前記再生手段により再生される前記ビットレート情報と前記新たな記録情報のビットレート情報とに基づいて更新記録又は追加記録が可能か判定し、更新記録又は追加記録が可能と判定すると、前記新たな記録情報を更新記録又は追加記録する制御を前記記録手段に対して行う制御手段と、
を有することを特徴とする記録装置。
【請求項２】
前記記録情報は少なくともビデオデータとオーディオデータを有し、前記ビットレート情報は前記オーディオデータのビットレートを示すこと、
を特徴とする請求項１に記載の記録装置。
【請求項３】
前記記録手段は、前記第１の記録領域への記録情報の記録に際して、前記ビットレート情報を前記第２の記録領域に記録すること、
を特徴とする請求項１又は２に記載の記録装置。
【請求項４】
前記記録手段は、前記ビットレート情報を、１バイトのデータとして記録すること、
を特徴とする請求項１〜３の何れか１項に記載の記録装置。
【請求項５】
前記記録手段は、前記ビットレート情報と前記符号化モードを示す情報を、前記再生単位で且つストリーム毎に分けてオーディオ属性情報として記録すること、
を特徴とする請求項１〜４の何れか１項に記載の記録装置。
【請求項６】
記録媒体に記録情報を記録する記録方法であって、
前記記録媒体の第１の記録領域に、前記記録情報を複数の記録単位に分割して記録すると共に、前記第１の記録領域とは異なる前記記録媒体の第２の記録領域に、前記記録情報に関する制御情報として、前記複数の記録単位を１つの再生単位として再生制御するための情報と前記記録情報の符号化モードを示す情報と前記記録情報のビットレート情報を記録する記録工程と、
新たな記録情報を更新記録又は追加記録するに際し、前記記録媒体に既に記録されている記録情報のビットレート情報を再生する再生工程と、
前記再生工程により再生される前記ビットレート情報と前記新たな記録情報のビットレート情報とに基づいて更新記録又は追加記録が可能か判定し、更新記録又は追加記録が可能と判定すると、前記新たな記録情報を更新記録又は追加記録する制御を前記記録工程に対して行う制御工程と、
を有することを特徴とする記録方法。
【請求項７】
前記記録情報は少なくともビデオデータとオーディオデータを有し、前記ビットレート情報は前記オーディオデータのビットレートを示すこと、
を特徴とする請求項６に記載の記録方法。
【請求項８】
前記記録工程では、前記第１の記録領域への記録情報の記録に際して、前記ビットレート情報を前記第２の記録領域に記録すること、
を特徴とする請求項６又は７に記載の記録方法。
【請求項９】
前記記録工程では、前記ビットレート情報を、１バイトのデータとして記録すること、
を特徴とする請求項６〜８の何れか１項に記載の記録方法。
【請求項１０】
前記ビットレート情報と前記符号化モードを示す情報は、前記再生単位で且つストリーム毎に分けてオーディオ属性情報として記録されること、
を特徴とする請求項６〜９の何れか１項に記載の記録方法。
【発明の詳細な説明】
【０００１】
【発明の属する技術分野】
本発明は、例えば、ＤＶＤ−ＲＷ等の書き換え可能な記録媒体と、その記録媒体を用いる記録再生装置に関し、特に、記録情報を編集等するのに好適なデータ構造を有する記録媒体と、その記録媒体を用いる記録再生装置に関するものである。
【０００２】
【従来の技術】
従来、高品位のビデオ情報とオーディオ情報を提供することを可能にした再生専用記録媒体として、光技術を用いたＤＶＤ−Videoが知られている。このＤＶＤ−Videoは、特徴的な論理データ構造に基づいて情報を記録することにより、広範囲な用途への適用可能性と、各種のインタラクティブ再生を可能にする豊富な機能を実現している。
【０００３】
この論理データ構造については公知文献に記載されているが、その概要を以下に説明する。ＤＶＤ−Videoのボリューム空間は、内周側のリードイン領域と、外周側のリードアウト領域と、これらリードインとリードアウト領域の間に設けられたデータ記録領域（データ記録ゾーン）とを備えて構成され、データ記録領域に複数ファイルのデータを記録するようになっている。
【０００４】
データ記録領域に記録されるデータは、大きく分けて、制御用データであるナビゲーションデータと、再生用データであるプレゼンテーションデータとから成っている。
【０００５】
ナビゲーションデータは、プレゼンテーションデータのアトリビュート（属性；attribute）と再生に必要な制御データに関する情報を有し、５種類のナビゲーションデータが存在する。具体的には、ナビゲーションデータとして、ビデオマネージャ情報（ＶＭＧＩ）、ビデオタイトルセット情報（ＶＴＳＩ）、プログラムチェーン情報（ＰＧＣＩ）、再生制御情報（ＰＣＩ）、データサーチ情報（ＤＳＩ）が存在する。
【０００６】
プレゼンテーションデータには、ビデオデータとオーディオデータ及びサブピクチャーデータが存在し、一部のナビゲーションデータと共にＭＰＥＧ２（ISO 13818-1）に準拠して統合されている。
【０００７】
ビデオデータは、ＭＰＥＧ２ビデオフォーマット（ISO 13818-2）に従って圧縮されたデータが１ストリーム分存在し、オーディオデータは、リニアＰＣＭ、ＡＣ−３、ＭＰＥＧオーディオの３方式が許容され、最大８ストリーム分の存在が可能となっている。
【０００８】
サブピクチャデータは、字幕やメニュー、カラオケの歌詞等を主映像に重ねて表示することを可能にするためのランレングス圧縮符号化によって圧縮されたデータであり、最大３２ストリーム分の存在が可能となっている。
【０００９】
そして、これらのビデオデータとオーディオデータ及びサブピクチャデータをそれぞれ複数のパック単位の集合とし、パック単位で多重化されたビットストリームによって上記のプレゼンテーションデータが構成されている。
【００１０】
また、ビデオデータとオーディオデータ及びサブピクチャーデータに再生制御情報（ＰＣＩ）とデータサーチ情報（ＤＳＩ）を付加して成るユニット単位を、ビデオオブジェクトユニット（ＶＯＢＵ）と呼んでいる。
【００１１】
尚、再生制御情報（ＰＣＩ）は、プレゼンテーションデータの状態に従って再生情報を決定するために在り、データサーチ情報（ＤＳＩ）は、順早送り再生と逆早戻し再生及び連続再生に関する情報を有している。
【００１２】
また、複数のビデオオブジェクトユニット（ＶＯＢＵ）の集合をセル（Ｃｅｌｌ）、複数のセル（Ｃｅｌｌ）の集合をビデオオブジェクト（ＶＯＢ）、複数のビデオオブジェクト（ＶＯＢ）の集合をビデオオブジェクトセット（ＶＯＢＳ）と呼んでいる。
【００１３】
更に、１又は２以上のビデオオブジェクトセット（ＶＯＢＳ）に、ビデオタイトルセット情報（ＶＴＳＩ）とプログラムチェーン情報（ＰＧＣＩ）を有する制御データを付加して成る一のセット単位を、ビデオタイトルセット（ＶＴＳ）と呼んでいる。そして、上記のビデオマネージャ情報（ＶＭＧＩ）を有するビデオマネージャ（ＶＭＧ）と呼ばれる制御データに続けて、複数のビデオタイトルセット（ＶＴＳ）が記録される。
【００１４】
尚、ビデオタイトルセット情報（ＶＴＳＩ）は、ビデオタイトルセット（ＶＴＳ）内のビデオオブジェクトセット（ＶＯＢＳ）の属性情報を有し、プログラムチェーン情報（ＰＧＣＩ）は、プレゼンテーションデータの再生順序に関する情報をセル（Ｃｅｌｌ）の順序の情報として有している。ビデオマネージャ情報（ＶＭＧＩ）は、ビデオタイトルセット（ＶＴＳ）のディレクトリに関する情報等を有している。
【００１５】
そして、ナビゲーションデータの情報に基づいてプレゼンテーションデータの再生制御を行うことで、インタラクティブ再生を可能にしている。
【００１６】
【発明が解決しようとする課題】
ところで、上記のＤＶＤ−Videoに続いて、ＤＶＤ−ＲＷが注目されている。このＤＶＤ−ＲＷは、上記ＤＶＤ−Videoを含む所謂ＤＶＤファミリー間での物理的互換性を保持し、情報の記録再生と消去及び再書き込みを可能とする記録媒体であることから、ユーザーにとっては所望のマルチメデイアタイトルを制作（オーサリング）するのに極めて適した記録媒体である。
【００１７】
こうしたマルチメデイアタイトルを制作する際によく使われる手法として、所謂アフターレコーディング（after recording）が知られている。このアフターレコーディングによると、ビデオデータを先に記録しておき、音声や音楽、効果音等のオーディオデータを後から記録したり、既に記録されているオーディオデータに新しいオーディオデータを追加又は更新することにより、タイトル編集の作業が楽になるという利点がある。
【００１８】
ただし、ユーザーは、既に記録されているタイトルにアフターレコーディング用のオーディオデータを記録することが可能か否かを確認しながら、アフターレコーディングを実施する必要がある。
【００１９】
ところが、ＤＶＤ−ＲＷは上記ＤＶＤ−Videoと同様の論理データ構造に従ってタイトルを記録する記録媒体であることから、上記の確認を行うためには、既に記録されているタイトルを上記論理データ構造に従って再生させる必要が生じる。つまり、ユーザーは、ＤＶＤ記録再生装置を操作して、ピックアップによりＤＶＤ−ＲＷに記録されているプレゼンテーションデータのストリームをサーチ（再生）させ、再生されたビデオ情報とオーディオ情報を確認するという面倒で時間のかかる操作を行わなければならない。
【００２０】
このため、ＤＶＤ−ＲＷを用いてアフターレコーディングを行う際の操作性を向上させることが課題となっていた。また、アフターレコーディングに限らず、記録情報の追加や更新等を行う際の操作性向上を図ることが課題となっていた。
【００２１】
本発明は、このような課題を克服するためになされたものであり、記録情報の追加や更新等を行うのに好適なデータ構造を有する記録媒体と、その記録媒体を用いる記録再生装置を提供することを目的とする。
【００２２】
【課題を解決するための手段】
上記目的を達成するため次の手段を講じた。
【００２３】
請求項１に記載の発明は、記録媒体に記録情報を記録する記録装置であって、前記記録媒体の第１の記録領域に、前記記録情報を複数の記録単位に分割して記録すると共に、前記第１の記録領域とは異なる前記記録媒体の第２の記録領域に、前記記録情報に関する制御情報として、前記複数の記録単位を１つの再生単位として再生制御するための情報と前記記録情報の符号化モードを示す情報と前記記録情報のビットレート情報を記録する記録手段と、新たな記録情報を更新記録又は追加記録するに際し、前記記録媒体に既に記録されている記録情報のビットレート情報を再生する再生手段と、前記再生手段により再生される前記ビットレート情報と前記新たな記録情報のビットレート情報とに基づいて更新記録又は追加記録が可能か判定し、更新記録又は追加記録が可能と判定すると、前記新たな記録情報を更新記録又は追加記録する制御を前記記録手段に対して行う制御手段と、を有することを特徴とする。
【００２４】
請求項６に記載の発明は、記録媒体に記録情報を記録する記録方法であって、前記記録媒体の第１の記録領域に、前記記録情報を複数の記録単位に分割して記録すると共に、前記第１の記録領域とは異なる前記記録媒体の第２の記録領域に、前記記録情報に関する制御情報として、前記複数の記録単位を１つの再生単位として再生制御するための情報と前記記録情報の符号化モードを示す情報と前記記録情報のビットレート情報を記録する記録工程と、新たな記録情報を更新記録又は追加記録するに際し、前記記録媒体に既に記録されている記録情報のビットレート情報を再生する再生工程と、前記再生工程により再生される前記ビットレート情報と前記新たな記録情報のビットレート情報とに基づいて更新記録又は追加記録が可能か判定し、更新記録又は追加記録が可能と判定すると、前記新たな記録情報を更新記録又は追加記録する制御を前記記録工程に対して行う制御工程と、を有することを特徴とする。
【００２５】
これらの発明によれば、記録情報と共に、上記の記録領域にその記録情報のビットレート情報が記録される。このビットレート情報は、記録情報の情報量（データ量）を定義するものであることから、再生時や所謂アフターレコーディングを行う際に再生されることで、既に記録されている記録情報の情報量を簡易に提示することができる。従って、既に記録されている記録情報に新たな記録情報を追加したり更新する等の処理を行う際に、既に記録されている記録情報を再生することによってその情報量を調べる等の使用等の煩雑な操作を不要にする。
【００２６】
また、記録情報のビットレート情報を記録媒体に記録させることで例えば使用者等が種々の編集作業を行う際に、そのビットレート情報を再生させることで、記録情報の情報量を簡易に提示することができる。
【００２７】
また、記録情報のビットレート情報を記録媒体に記録させることで、例えば使用者等が種々の編集作業を行う際に、そのビットレート情報を再生させることで、記録情報の情報量を簡易に提示することができる。
【００２９】
また、例えば使用者等がアフターレコーディングを行う場合に、既に記録されているビットレート情報に基づいて、既に記録されている記録情報とアフターレコーディングするための記録情報との情報量を知ることが可能となる。そして、既に記録されている記録情報とアフターレコーディングするための記録情報との情報量が適正であれば、ビットレート情報に基づいて、既アフターレコーディングするための記録情報が既に記録されている記録情報に対して更新記録や追加記録が行われて、アフターレコーディングの処理が行われる。
【００３０】
【発明の実施の形態】
以下、本発明の実施の形態について図面を参照して説明する。尚、図１は、情報の記録再生と消去及び再記録が可能なＤＶＤ−ＲＷ（DVD−ReWritable）を用いる記録再生装置の構成を示すブロック図、図２ないし図５は、ＤＶＤ−ＲＷの論理データ構造を説明するための説明図、図６及び図７は、記録再生装置の動作例を説明するためのフローチャートである。
【００３１】
図１に基づいて、本実施形態の記録再生装置１の構成を説明する。同図において、本記録再生装置１は、記録媒体であるＤＶＤ−ＲＷ２を回転駆動するスビンドルモータ３と、ＤＶＤ−ＲＷ２に対して光学的に記録再生を行うピックアップ４と、スビンドルモータ３とピックアップ４をサーボ制御するためのサーボ回路５と、ＤＶＤ−ＲＷ２に記録すべきデータを生成するための記録系６と、ＤＶＤ−ＲＷ２に記録されているデータを再生するための再生系７と、記録再生装置１の全体を制御する中央制御回路８と、操作者が中央制御回路８に対して所望の指示をするための操作部９と、表示部１０とを備えて構成されている。
【００３２】
記録系６は、Ａ／Ｄコンバータ１１，１２、オーディオ圧縮回路１３、ビデオ圧縮回路１４、マルチプレックス回路１５、記録バッファメモリ１６、エンコーダ１７及び記録回路１８を備えて構成されている。
【００３３】
ここで、Ａ／Ｄコンバータ１１は、外部から供給されるアナログのオーディオ信号ＳAIをデジタルのオーディオデータＤAIにアナログ・デジタル変換して出力する。オーディオ圧縮回路１３は、中央制御回路８からの制御信号Ｃ１によって指定される所定の圧縮方式に基づいて、オーディオデータＤAIをデータ圧縮し、そのデータ圧縮したオーディオデータ（以下、圧縮オーディオデータという）ＤＰAIをマルチプレックス回路１５に供給する。尚、本実施形態では、リニアＰＣＭとＡＣ−３及びＭＰＥＧオーディオに準拠したデータ圧縮方式が適用され、使用者等が操作部９を操作することにより、これらの圧縮方式を任意に指定することが可能となっている。
【００３４】
Ａ／Ｄコンバータ１２は、外部から供給されるアナログのビデオ信号ＳVIをデジタルのビデオデータＤVIにアナログ・デジタル変換して出力する。ビデオ圧縮回路１４は、ビデオデータＤVIをＭＰＥＧ２ビデオフォーマット（ISO 13818-2）に従ってデータ圧縮し、そのデータ圧縮したビデオデータ（以下、圧縮ビデオデータという）ＤＰVIをマルチプレックス回路１５に供給する。
【００３５】
マルチプレックス回路１５は、使用者等により情報記録の指示がなされると、中央制御回路８からの制御信号Ｃ２で指定される所定タイミングに従って、圧縮オーディオデータＤＰAIと圧縮ビデオデータＤＰVIを入力し、これらのデータＤＰAI，ＤＰVIをマルチプレックスすることにより、時分割多重の施された圧縮データＤＰWを生成する。
【００３６】
また、使用者等によりアフターレコーディングの指示がなされると、マルチプレックス回路１５は、制御信号Ｃ２で指定される所定タイミングに従って、圧縮オーディオデータＤＰAIと圧縮ビデオデータＤＰVI及び、後述する再生バッファメモリ２４からのデコードデータＤＰAVを入力し、これらのデータＤＰAI，ＤＰVI，ＤＰAVをマルチプレックスすることにより、時分割多重の施された圧縮データＤＰWを生成する。
【００３７】
記録バッファメモリ１６は、マルチプレックス回路１５が圧縮データＤＰWを生成する際に、各データＤＰAI，ＤＰVI，ＤＰAV等を一時的に格納するために設けられており、時分割多重の施された圧縮データＤＰWをエンコーダ１７に出力する。また、記録バッファメモリ１６から中央制御回路８に、圧縮データＤＰWのデータ量（データ長）を示すデータ量信号Ｃmwが逐一転送され、更に、中央制御回路８が、データ量信号Ｃmwに基づいて圧縮データＤＰWのデータ量を文字や図形等によって表示部１０に表示させる。
【００３８】
エンコーダ１７は、中央制御回路８から供給される制御信号Ｃ３に従って、圧縮データＤＰWを符号化し、それによって生成されるエンコードデータＤWEを記録回路１８へ出力する。
【００３９】
記録回路１８は、中央制御回路８から供給される制御信号Ｃ４に従って、エンコードデータＤWEに対して電力増幅等の処理を施し、これによって生成される記録用データＤWTをピックアップ４に供給する。したがって、ピックアップ４に内蔵されている半導体レーザ等の光源が記録用データＤWTによって駆動され、更に、光源から射出される記録光によって、記録用データＤWTが光学的にＤＶＤ−ＲＷ２に記録される。
【００４０】
次に、再生系７は、Ｄ／Ａコンバータ１９，２０、ビデオ伸張回路２１、オーディオ伸張回路２２、デマルチプレックス回路２３、再生バッファメモリ２４、デコーダ２５及び再生回路２６を備えて構成されている。
【００４１】
再生回路２６は、ピックアップ４によりＤＶＤ−ＲＷ２から読み取られた検出信号（ＲＦ信号）ＤRDを、中央制御回路８から供給される制御信号Ｃ５に従って波形整形し、その波形整形によって生成される２値の再生データＤPPをデコーダ２５に出力する。
【００４２】
デコーダ２５は、中央制御回路８から供給される制御信号Ｃ６に従って、上記エンコーダ１７のエンコード方式に対応する所定のデコード方式に基づいて再生データＤPPをデコード（復元）し、それにより生成されるデコードデータＤＰRを再生バッファメモリ２４へ出力する。
【００４３】
再生バッファメモリ２４は、デコードデータＤＰRを入力して一時的に格納すると共に、そのデコードデータＤＰRのデータ量（データ長）を示すデータ量信号Ｃmrを中央制御回路８に逐一転送する。そして、中央制御回路８が、データ量信号Ｃmrに基づいてデコードデータＤＰRのデータ量を文字や図形等によって表示部１０に表示させる。
【００４４】
更に、再生バッファメモリ２４は、一時的に格納したデコードデータＤＰRを所定タイミングに同期したデコードデータＤＰAVに配列して、デマルチプレックス回路２３へ出力する。
【００４５】
尚、上述したように、使用者等が操作部９を操作して、中央制御回路８に対しアフターレコーディングの処理を指示をすると、デコードデータＤＰAVがマルチプレックス回路１５にも供給される。
【００４６】
デマルチプレックス回路２３は、中央制御回路８から供給される制御信号Ｃ７に従って、デコードデータＤＰAV内に時分割多重されているビデオ情報に関するデータＤＰVOとオーディオ情報に関するデータＤＰAOとをデマルチプレックスし、上記データＤＰVOをビデオ伸張回路２１に、上記データＤＰAOをオーディオ伸張回路２２にそれぞれ供給する。
【００４７】
ビデオ伸張回路２１は、中央制御回路８から供給される制御信号Ｃ７に従って、ビデオ情報に関するデータＤＰVOに対して、上記ビデオ圧縮回路１４の圧縮方式に対応する所定の伸張処理を施すことにより、伸張されたビデオデータＤVOを出力する。
【００４８】
オーディオ伸張回路２２は、中央制御回路８から供給される制御信号Ｃ７に従って、オーディオ情報に関するデータＤＰAOに対して、上記オーディオ圧縮回路１３の圧縮方式に対応する所定の伸張処理を施すことにより、伸張されたオーディオデータＤAOを生成して出力する。
【００４９】
Ｄ／Ａコンバータ１９は、伸張されたビデオデータＤVOをデジタル・アナログ変換することにより、アナログのビデオ信号ＳVOを生成して出力する。Ｄ／Ａコンバータ２０は、伸張されたオーディオデータＤAOをデジタル・アナログ変換することにより、アナログのオーディオ信号ＳAOを生成して出力する。また、オーディオ伸張回路２２で生成されるオーディオデータＤAOをデジタルデータのまま外部へ出力するようになっている。
【００５０】
中央制御回路８は、予め設定されているシステムプログラムを記録するメモリ８ａと、上記システムプログラムを実行することにより記録再生装置１全体の動作を制御するマイクロプロセッサ（ＣＰＵ）を備えて構成されている。すなわち、中央制御回路８は、上記マイクロプロセッサによって、サーボ回路５と記録系６及び再生系７の動作を制御すると共に、使用者等の指示を操作部９を介して受信し、更に、本記録再生装置１の現在の動作内容や、記録情報や再生情報に関連する各種情報等や、操作者等に記録再生装置１の操作方法を提示するためのメニュー表示等を表示部１０に表示させるようになっている。
【００５１】
次に、図２ないし図５を参照して、ＤＶＤ−ＲＷ２の論理データ構造を説明する。尚、このＤＶＤ−ＲＷ２は、ＤＶＤ−Videoとの互換性を保持することから、ＤＶＤ−Videoの論理データ構造と共通した部分を有している。そこで、主として、このＤＶＤ−ＲＷ２の特徴点について説明することとする。
【００５２】
図２は、全体の論理データ構造を模式的に示した説明図である。同図において、ＤＶＤ−ＲＷ２のボリューム空間は、ＤＶＤ−ＲＷ２の内周側のトラックに割り当てられたリードイン領域ＲＩと、外周側のトラックに割り当てられたリードアウト領域ＲＯと、データ記録領域（データ記録ゾーン）ＤＺから成っている。データ記録領域ＤＺは、物理アドレスと論理アドレスの関係を示す論理フォーマットであるマイクロＵＤＦ（Universal Disc Format）が記録されるＵＤＦ記録領域２７と、ビデオデータ記録領域ＶＤＺからなり、更に、ビデオデータ記録領域ＶＤＺは、ビデオマネージャ情報（ＶＭＧＩ）を有するビデオマネージャ（ＶＭＧ）と呼ばれる制御データを記録するためのビデオマネージャ記録領域２８と、記録再生用データであるビデオデータ及びオーディオデータ等を記録するための記録領域２９によって構成されている。尚、ビデオデータ記録領域ＶＤＺには、複数ファイル３０としてデータが記録され、更に、これらのファイル３０は、セット単位、セル単位、ユニット単位、パック単位等の集合として、階層化構造によって記録される。
【００５３】
また、データ記録領域ＤＺに記録されるデータは、大きく分けて、プレゼンテーションデータとナビゲーションデータとからなり、プレゼンテーションデータには、後述するパック化されたビデオデータとオーディオデータ及びサブピクチャーデータが存在し、所定のナビゲーションデータと共にＭＰＥＧ２（ISO 13818-1）に準拠して統合されている。
【００５４】
上記階層化構造における最上位の記録単位として、ビデオタイトルセット（ＶＴＳ；Video Title Set）３１が決められ、複数のビデオタイトルセットＶＴＳ(#1)〜ＶＴＳ(#n)を記録できるようになっている。
【００５５】
それぞれのビデオタイトルセットＶＴＳは、一対一に対応付けられた各ビデオオブジェクトセット（ＶＯＢＳ；Video Object Set）３２により構成される。
【００５６】
各ビデオオブジェクトセット（ＶＯＢＳ）３２は、１又は２以上のビデオオブジェクト（ＶＯＢ；Video Object）３３の集合によって構成される。尚、各ビデオオブジェクト（ＶＯＢ）３３には、ＩＤ番号（V_ID１〜V_IDi）が付されることにより、識別が可能となっている。
【００５７】
また、各ビデオオブジェクト（ＶＯＢ）３３は、１又は２以上のセル（Ｃｅｌｌ）３４の集合によって構成され、更に又、各セル（Ｃｅｌｌ）３４は、１又は２以上のビデオオブジェクトユニット（ＶＯＢＵ；Video Object Unit）３５の集合によって構成される。尚、これらの各セル（Ｃｅｌｌ）３４にも、ＩＤ番号（C_ID1〜C_IDj）が付されることにより、識別が可能となっている。
【００５８】
更に、各ビデオオブジェクトユニット（ＶＯＢＵ）３５は、１又は２以上のビデオパック（Video Pack）Ｖと、１又は２以上のオーディオパック（Audio Pack）Ａと、サブピクチャーパック（Sub-picture Pack）Ｓの集合によって構成される。
【００５９】
つまり、これらビデオパックＶとオーディオパックＡサブピクチャーパックＳを有するプレゼンテーションデータは、ビデオオブジェクトユニット（ＶＯＢＵ）３５とセル（Ｃｅｌｌ）３４、ビデオオブジェクト（ＶＯＢ）３３、ビデオオブジェクトセット（ＶＯＢＳ）３２及びビデオタイトルセット（ＶＴＳ）３１にそれぞれ割り当てられて管理されるようになっている。
【００６０】
ここで、上記のビデオマネージャ記録領域２８には、図３に示すように、ボリューム内の全てのビデオタイトルセットＶＴＳ(#1)〜ＶＴＳ(#n)に割り当てられたプレゼンテーションデータの再生順序を制御するためのプログラムチェーン情報（ＰＧＣＩ；Program Chain Information）と、各ビデオオブジェクト（ＶＯＢ）の単位でのプレゼンテーションデータのアトリビュートとデータ長に関する情報を有するビデオオブジェクト情報（ＶＯＢＩ；Video Object Information）を少なくとも備えたビデオマネージャ情報（ＶＭＧＩ；Video Manager Information）が記録される。
【００６１】
つまり、ビデオマネージャ情報（ＶＭＧＩ）は、ビデオタイトルセットＶＴＳ(#1)〜ＶＴＳ(#n)を記録再生するための管理データである。そのうちのプログラムチェーン情報（ＰＧＣＩ）は、ビデオパックＶとオーディオパックＡ及びサブピクチャーパックＳを有するプレゼンテーションデータの再生順序に関する情報をセル（Ｃｅｌｌ）の順序の情報として記録される。ビデオオブジェクト情報（ＶＯＢＩ）は、各ビデオオブジェクト（ＶＯＢ）単位でのプレゼンテーションデータのアトリビュートとデータ長に関する情報を記録するためのテーブルである。
【００６２】
更に、ビデオオブジェクト情報（ＶＯＢＩ）内に存在する１つの項目として、ビデオオブジェクト（ＶＯＢ）に含まれているオーディオパックＡのアトリビュートを記述するためのオーディオストリーム属性テーブル（VOB_AST_ATRT）が備えられている。
【００６３】
このオーディオストリーム属性テーブル（VOB_AST_ATRT）は、３バイトで構成され、オーディオ符号化モード（Audio coding mode）と、アプリケーションモード（Audio application mode）と、量子化数（Quantization）Ｑb、サンプリング周波数（Sampling frequency）ｆs、チャンネル数（Number of Audio channels）ＣＨn、及びビットレート（Bit rate）の情報が記録される。
【００６４】
尚、上記のオーディオ符号化モードには、オーディオパックＡがＭＰＥＧオーディオとＡＣ−３及びリニアＰＣＭのいずれの方式で圧縮されているかのデータが記録され、上記アプリケーションモードには、ビデオオブジェクト（ＶＯＢ）内のオーディオアトリビュートに関連するフラグが記録される。
【００６５】
すなわち、オーディオストリーム属性テーブル（VOB_AST_ATRT）に、これらの情報を記録することにより、ＤＶＤ−ＲＷ２に記録されたオーディオストリームの品質等を表すこととしている。また、再生時に、オーディオストリーム属性テーブル（VOB_AST_ATRT）の各情報を再生して、表示部１０に表示させることにより、既に記録されているオーディオストリームの品質等を使用者等に提示できるようになっている。
【００６６】
ビデオパックＶは、図４に示すように、パックヘッダとパケットヘッダに続けて、ビデオデータが記録される。オーデーオデータＡは、図５（ａ）〜（ｃ）に示すように、データ圧縮方式の違いに応じたデータ構成で各オーディオデータが記録される。
【００６７】
次に、図６及び図７を参照して、上記論理データ構成を有するＤＶＤ−ＲＷ２を用いて、記録再生装置１によってアフターレコーディングを行う際の動作について説明する。なお、以下に説明する動作は、中央制御回路８中のマイクロコンピュータ（ＣＰＵ）によって制御される。
【００６８】
図６において、ＤＶＤ−ＲＷ２が挿入されたことを検出した後（ステップ１００）、ピックアップ４による情報読み取りが開始され、記録再生に必要な制御データを取得する（ステップ１０１）。次に、使用者等によりアフターレコーディングの指示が成された否かの判定を行い（ステップ１０２）、その指示が成されていなければ「ＮＯ」と判断して、ステップ１０３へ移行する。ここで、ディスク排出（ＥＪＥＣＴ）の指示が成されたか否か判断し、指示がなければステップ１０２の処理へ移行する。一方、ステップ１０３において、ディスク排出（ＥＪＥＣＴ）の指示が成さた場合には、必要な管理データをＤＶＤ−ＲＷ２に記録した後（ステップ１０４）、ＤＶＤ−ＲＷ２を排出して（ステップ１０５）、処理を終了する。
【００６９】
上記のステップ１０２において、アフターレコーディングの指示が成されたと判断した場合（「ＹＥＳ」の場合）には、以下のアフターレコーディングの処理が行われる。
【００７０】
まず、ステップ１０６において、上記ステップ１０１で取得した制御データの中から、図３に示すオーディオストリーム属性テーブル（VOB_AST_ATRT）内のデータを調べる。
【００７１】
ここで、オーディオストリーム属性テーブル（VOB_AST_ATRT）内に既に記録されているビットレートとオーディオ符号化モードのデータと、使用者等が新たに記録しようとするアフターレコーディング用のオーディオデータのビットレートとオーディオ符号化モードのデータとを比較する。
【００７２】
次に、ステップ１０７において、ステップ１０６で得られた比較結果に基づいて、アフターレコーディング用のオーディオデータのビットレートが既に記録されているオーディオデータのビットレートに適合しているか否かを調べる。
【００７３】
そして、アフターレコーディング用のオーディオデータのビットレートが既に記録されているオーディオデータのビットレートに適合していない場合（「ＮＯ」の場合）には、アフターレコーディングを行うことができない旨の表示を表示部９によって行い（ステップ１０８）、一時停止（PAUSE）状態に設定し（ステップ１１１）、再びステップ１０２で使用者等の次の指示を待つ。
【００７４】
一方、ステップ１０７において、アフターレコーディングが可能であると判断した場合（「ＹＥＳ」の場合）には、記録バッファメモリ１６中にオーディオエンコーダ用の記録領域を設定した後（ステップ１０９）、アフターレコーディングの処理を開始する（ステップ１１０）。
【００７５】
ステップ１１０では、図７に示す処理が行われる。すなわち、ステップ２００とステップ２０１において、ピックアップ４によってＤＶＤ−ＲＷ２から記録情報を読み取り、その読み取ったデータを再生回路２６とデコーダ２５及び再生バッファメモリ２４によって復調する。そして、再生バッファメモリ２４からマルチプレックス回路１５へ、デコードデータＤＰAVが供給される。
【００７６】
次に、ステップ２０２において、中央制御回路８から出力される制御信号Ｃ２に従ってマルチプレックス回路１５が、オーディオ圧縮回路１３から供給される圧縮オーディオデータ（アフーターレコーディング用のオーディオデータ）ＤＰAIとデコードデータＤＰAVとをマルチプレックス（多重化）する。そして、このマルチプレックスでは、デコードデータＤＰAV内のビデオパックとサブパックのデータはそのままにして、オーディオデータパックに圧縮オーディオデータＤＰAIを入れ換える。尚、誤り符号訂正のために設けられるＥＣＣ（Error Corection Code）単位で上記の入れ替えが行われる。
【００７７】
これにより、デコードデータＤＰAV中に含まれていたオーディオ情報に関するデータＤＰAOが、アフーターレコーディング用のオーディオデータＤＰAIに置き換えられる。そして、上記の置き換えが成されて多重化された圧縮データＤPWが記録バッファメモリ１６から出力され、更に、ステップ２０３及び２０４において、圧縮データＤPWがエンコーダ１７及び記録回路１８を通じてピックアップ４に供給され、ＤＶＤ−ＲＷ２に記録される。
【００７８】
そして、ステップ２０５において、全てのアフーターレコーディング用のオーディオデータＤＰAIがＤＶＤ−ＲＷ２に記録されたか否か判断し、全ての記録が完了するまでステップ２００〜２０４の処理を繰り返し、完了すると図６のステップ１１１の処理へ移行して、再びステップ１０２からの処理を行う。
【００７９】
このように、本実施形態によれば、ビデオオブジェクト情報（ＶＯＢＩ）内のオーディオストリーム属性テーブル（VOB_AST_ATRT）に、ビットレート（Bit rate）の情報を記録するようにしたので、このビットレートの情報を取得することによって、既に記録されているオーディオデータとアフターレコーディング用のオーディオデータとのデータ量（データ長）を比較して、アフターレコーディンが可能か否かを容易に調べることができる。
【００８０】
したがって、従来技術では、アフターレコーディングを行うのに、既に記録されているオーディオデータのストリームを確認するという操作が必要であり、使用者等にとって手間がかかるという問題があったが、本実施形態によれば、このような従来の操作が不要となり、アフターレコーディングのための操作性を向上させることができる。
【００８１】
また、アフターレコーディングに限らず、記録情報の追加や更新等を行う際の操作性向上を図ることができる。
【００８２】
【発明の効果】
以上説明したように本発明の記録媒体によれば、記録情報とその記録情報のビットレート情報を記録するようにしたので、そのビットレート情報を再生することによって、記録情報のデータ量を提示することができる。この結果、使用者等にとっては、アフターレコーディング等を行う際に、ビットレート情報を調べるだけで記録情報の情報量を入手することが可能となり、記録情報を再生してその情報量を調べる等の操作が不要となることから、操作性を向上させることができる。
【００８３】
また、本発明の記録再生装置によれば、記録媒体に、記録情報とその記録情報のビットレート情報を記録させるようにしたので、使用者等にとっては、アフターレコーディング等を行う際に、ビットレート情報を調べるだけで記録情報の情報量を入手することが可能となり、記録情報を再生してその情報量を調べる等の操作が不要となることから、操作性を向上させることができる。
【図面の簡単な説明】
【図１】本実施形態に係る記録再生装置の構成を示すブロック図である。
【図２】本実施形態に記録媒体の論理データ構造を示す説明図である。
【図３】ビデオオブジェクト情報に含まれるオーディオストリーム属性テーブルの構成を示す説明図である。
【図４】ビデオパックの構成を示す説明図である。
【図５】オーディオパックの構成を示す説明図である。
【図６】アフターレコーディングの動作例を示すフローチャートである。
【図７】アフターレコーディングの動作例を更に示すフローチャートである。
【符号の説明】
１…記録再生装置
２…記録媒体（ＤＶＤ−ＲＷ）
６…記録系
７…再生系
８…中央制御回路
１１，１２…Ａ／Ｄコンバータ
１３…オーディオ圧縮回路
１４…ビデオ圧縮回路
１５…マルチプレックス回路
１６…記録バッファメモリ
１７…エンコーダ
１８…記録回路
１９，２０…Ｄ／Ａコンバータ
２１…ビデオ伸張回路
２２…オーディオ伸張回路
２３…デマルチプレックス回路
２４…再生バッファメモリ
２５…デコーダ
２６…再生回路
【図１】
0004030671.tif 000002
【図２】
0004030671.tif 000003
【図３】
0004030671.tif 000004
【図４】
0004030671.tif 000005
【図５】
0004030671.tif 000006
【図６】
0004030671.tif 000007
【図７】
0004030671.tif 000008